(57)【要約】【課題】可撓性を有するシートを用いて空間を区画するための区画形成面体について、新規な技術を提案する。【解決手段】矩形状の不燃シート７０と、前記不燃シート７０の少なくとも二辺に設けられるシート側枠（７１，７２，７３，７４）と、を備え、少なくとも互いに当接する前記シート側枠は、相対移動可能に構成されることを特徴とする区画形成面体７とする。シート側枠（７１，７２，７３，７４）は、不燃シート７０の四辺に端部が突き合わせた状態で取付けられており、シート側枠（７１，７２，７３，７４）の端部が傾斜部を有し、前記シート側枠の端部の傾斜部を付き合せた構成とする。【選択図】図１
2014104171.tif 000002
【特許請求の範囲】
【請求項１】
矩形状の不燃シートと、
前記不燃シートの少なくとも二辺に設けられるシート側枠と、
を備え、
少なくとも互いに当接する前記シート側枠は、相対移動可能に構成される、
区画形成面体。
【請求項２】
前記シート側枠は、前記不燃シートの四辺に端部が突き合わせた状態で取付けられており、
前記シート側枠の端部が傾斜部を有し、前記シート側枠の端部の傾斜部を付き合せた構成とする、
ことを特徴とする請求項１に記載の区画形成面体。
【請求項３】
請求項１又は請求項２に記載の区画形成面体を有する防煙たれ壁であって、
前記シート側枠は、
壁面に取付けられる枠に対して固定されるものであり、
前記シート側枠の前記枠に対する固定位置が調整可能な位置調整部材を有する、
ことを特徴とする防煙たれ壁。
【請求項４】
前記シート側枠の一つは、天井面に取付けられる天井側枠に吊り込まれるものであり、
前記天井側枠に対し、
前記シート側枠に一体化される吊り枠を嵌め込むことで、
前記天井側枠に対し、前記区画形成面体を吊り込む、構成とする、
ことを特徴とする請求項３に記載の防煙たれ壁。
【請求項５】
前記壁面に取付けられる枠は、
一対の縦枠と、
前記一対の縦枠の下端部に架設される下枠と、を有し、
前記下枠には、前記下枠を覆うための上方が開口した筒状の下部カバーが取付けられるものであり、
前記下枠の縦面は、その上部が互いに離れる方向に上方に延設されて左右対称の傾斜面を形成する、
ことを特徴とする請求項３又は請求項４に記載の防煙たれ壁。
【発明の詳細な説明】
【技術分野】
【０００１】
本発明は、建物の天井部に設けられる防煙たれ壁に関する。
【背景技術】
【０００２】
従来、例えば、特許文献１に開示されるように、大型店舗、オフィスビル、公共施設等の天井部分には、防煙たれ壁が配置されることが知られている。
【０００３】
この防煙垂れ壁は、天井からパネル（板材）を垂下させることで防煙区画を形成し、火災時等において発生する煙の流動を防止又は遅らせることを目的として設けられる。
【０００４】
煙の流動を防止するためのパネル（板材）としては、従来、ガラス板やスチール板などが用いられるものであったが、パネルの重量が重く施工性が悪いことや、落下時・破損時における被害の防止を図る必要性などの課題が存在していた。
【０００５】
このような課題を解決する技術として、特許文献１では、ガラス繊維シート（パネル）を用いる構成が提案されている。
【０００６】
また、特許文献２では、可撓性を有し且つ透明性を備えたガラス繊維強化樹脂シートを用いる構成が提案されている。
【先行技術文献】
【特許文献】
【０００７】
【特許文献１】特開２００７−６０５７１号公報
【特許文献２】特開２００７−２９１０９号公報
【発明の概要】
【発明が解決しようとする課題】
【０００８】
しかしながら、特許文献１の構成では、表面積が広い板状のガラス繊維シート（パネル）を用いる構成であるため、大型の専用資材の準備の必要性、梱包の手間がかかること、運搬の手間やコストがかかること、などといった課題が残ることになる。
【０００９】
また、現場への搬入後は、施工時に表面に傷を付けないようにすることや、落下や衝突による欠け、ヒビの発生などが生じないよう、取り扱いには細心の注意が必要とされるものであった。
【００１０】
他方、特許文献２の構成では、シートが可撓性を有するため、特許文献１のような板状のガラス繊維シート（パネル）を使用する場合と比較して、課題は低減されるものである。
【００１１】
しかしながら、可撓性のシートを用いる構成とする場合には、施工後において、シートに皺（シワ）やたわみが生じてしまうことにより、美観上問題となることが懸念される。
【００１２】
本発明は、以上の問題点に鑑み、可撓性を有するシートを用いて空間を区画するための区画形成面体について、新規な技術を提案するものである。
【課題を解決するための手段】
【００１３】
本発明の解決しようとする課題は以上の如くであり、次にこの課題を解決するための手段を説明する。
【００１４】
即ち、請求項１に記載のごとく、
矩形状の不燃シートと、
前記不燃シートの少なくとも二辺に設けられるシート側枠と、
を備え、
少なくとも互いに当接する前記シート側枠は、相対移動可能に構成される、
区画形成面体とする。
【００１５】
また、請求項２に記載のごとく、
前記シート側枠は、前記不燃シートの四辺に端部が突き合わせた状態で取付けられており、
前記シート側枠の端部が傾斜部を有し、前記シート側枠の端部の傾斜部を付き合せた構成とする。
【００１６】
また、請求項３に記載のごとく、
請求項１又は請求項２に記載の区画形成面体を有する防煙たれ壁であって、
前記シート側枠は、
壁面に取付けられる枠に対して固定されるものであり、
前記シート側枠の前記枠に対する固定位置が調整可能な位置調整部材を有する、
ことを特徴とする防煙たれ壁とする。
【００１７】
また、請求項４に記載のごとく、
前記シート側枠の一つは、天井面に取付けられる天井側枠に吊り込まれるものであり、
前記天井側枠に対し、
前記シート側枠に一体化される吊り枠を嵌め込むことで、
前記天井側枠に対し、前記区画形成面体を吊り込む、構成とする、
ことを特徴とする請求項３に記載の防煙たれ壁とする。
【００１８】
また、請求項５に記載のごとく、
前記壁面に取付けられる枠は、
一対の縦枠と、
前記一対の縦枠の下端部に架設される下枠と、を有し、
前記下枠には、前記下枠を覆うための上方が開口した筒状の下部カバーが取付けられるものであり、
前記下枠の縦面は、その上部が互いに離れる方向に上方に延設されて左右対称の傾斜面を形成する、
【発明の効果】
【００１９】
本発明の効果として、以下に示すような効果を奏する。
【００２０】
即ち、請求項１に記載の発明においては、区画形成面体を取付けた後において、各シート側枠の取付位置を変更することにより、不燃シートの皺（シワ）やたわみを無くした状態で区画形成面体を設置することが可能となる。
【００２１】
また、請求項２に記載の発明においては、区画形成面体を上方に持ち上げるように移動させる際には、例えば、シート側縦枠の上端にシート側上枠を載置するようにして、区画形成面体を持ち上げることができ、施工性を良好なものとすることができる。また、各シート側枠を付け合せつつ、角部を持つようにすることで、各シート側枠が互いにずれあうことが規制され、区画形成面体の持ち運びを容易に行うことが可能となる。
【００２２】
また、請求項３に記載の発明においては、区画形成面体を枠組に取付けて防煙たれ壁を形成した後において、各シート側枠の取付位置を変更することにより、不燃シートの皺（シワ）やたわみを無くした状態で区画形成面体を設置することが可能となる。また、設置後も、季節変動、空調変動による室温、湿度の変化や経年変化によるシートの伸びなどによって、不燃シートの表面に皺（シワ）の発生した場合でも、各種部材を取り外すことなく、皺（シワ）を無くすための調整を容易に行うことができる。
【００２３】
また、請求項４に記載の発明においては、作業し易いところで吊り枠と区画形成面体を一体化させることができ、また、天井側枠への吊り込みを容易に行うことができるので、作業性を良好なものとすることができる。また、シート側上枠を一旦吊り込んだ後は、区画形成面体から手を離して作業をすることができ、作業性に優れた構成が実現できる。
【００２４】
また、請求項５に記載の発明においては、下枠への下部カバーの取り付けの際に、下部カバー９を押し上げることで下部カバーが開き、下部カバーの形状を問わず容易に嵌め込むことが可能となる。
【図面の簡単な説明】
【００２５】
【図１】防煙たれ壁の全体概要について示す正面図である。
【図２】（Ａ）は防煙たれ壁の構成について説明する正面図である。（Ｂ）は区画形成面体の構成について説明する正面図である。（Ｃ）は区画形成面体の構成部材について説明する正面図である。
【図３】シート側上枠などの構成について示す断面図である。
【図４】吊り枠の取付について説明する図である。
【図５】シート側上枠の貫通穴について説明する図である。
【図６】シート側縦枠などの構成について示す断面図である。
【図７】シート側下枠などの構成について示す断面図である。
【図８】（Ａ）は枠の施工などについて示す図である。（Ｂ）は区画形成面体の施工などについて示す図である。（Ｃ）は下部カバーの施工などについて示す図である。
【図９】（Ａ）は断面円筒状の下部カバーの例について示す断面図である。（Ｂ）は下部カバーの他の実施形態について示す断面図である。（Ｃ）は下部カバーのその他の実施形態について示す断面図である。
【図１０】複数の区画形成面体を用い、全体として幅の広い防煙たれ壁を構成する例について示す図である。
【図１１】（Ａ）は一直線上に区画形成面体を連設するための中間縦枠について示す断面図。（Ｂ）は十字状に区画形成面体を連設するための中間縦枠について示す断面図。（Ｃ）はＴ字状に区画形成面体を連設するための中間縦枠について示す断面図。（Ｄ）はＬ字状に区画形成面体を連設するための中間縦枠について示す断面図。
【発明を実施するための形態】
【００２６】
以下、本発明の実施形態を図面に基づいて説明する。
図１は本発明の一実施形態について示す正面図であり、天井面１から垂れ下がるように防煙たれ壁２が設けられる様子が示されている。
【００２７】
防煙たれ壁２は、天井面１に付設される長尺の天井側枠３と、天井側枠３の長手方向両端部において天井面１から下方に伸びるように設けられる端部縦枠４，５と、端部縦枠４，５の下端部の間に架設される下枠６と、これらの枠（３，４，５，６）により囲まれる部位を閉鎖するように設けられる区画形成面体７と、を有して構成される。
【００２８】
区画形成面体７は、可撓性を有する不燃シート７０を有している。不燃シート７０の素材としては、関連法規に適合する不燃材料が採用されるものであり、また、透明、半透明、不透明などの各種の仕様を採用することが考えられる。
【００２９】
区画形成面体７の上部は、天井側枠３に付設される吊り枠８を介して、天井側枠３に対して吊り下げるように設けられる。
【００３０】
下枠６には、下部カバー９が取付けられる。
【００３１】
以上のような防煙たれ壁２により、その表側となる空間と、裏側となる空間とが区画され、一方の空間から他方の空間への煙の流動（拡散、移動）を妨げることが可能となる。なお、各枠（３，４，５，６）は、アルミ押出成型材などの不燃性の長尺部材にて構成することができる。
【００３２】
図２（Ａ）（Ｂ）（Ｃ）は、区画形成面体７の全体構成について示す正面図であり、区画形成面体７は、可撓性を有する不燃シート７０と、長尺のシート側上枠７１、シート側縦枠７２，７３、シート側下枠７４を有して構成される。なお、各シート側枠（７１，７２，７３，７４）は、アルミ押出成型材などの不燃性の長尺部材にて構成することができる。アルミ押出成型材を用いることで軽量の区画形成面体７を構成することができる。
【００３３】
不燃シート７０は、所定の縦幅寸法Ｈ１、横幅寸法Ｗ１を有する矩形をなすように予め構成されており、不燃シート７０の上辺部７０ａ、縦辺部７０ｂ，７０ｃ、下辺部７０ｄには、それぞれ、長手方向に所定の間隔で貫通穴７０ｈ，７０ｈが形成されている。
【００３４】
図３に示すように、シート側上枠７１は、縦面７１ａ，７１ｂ、上面７１ｃ、下面７１ｄを有する中空の枠材にて構成される。シート側上枠７１の縦面７１ａと上面７１ｃには、不燃シート７０の上辺部７０ａが被せられるとともに、両面テープ、或いは、接着剤などによって、不燃シート７０がシート側上枠７１に貼着される。
【００３５】
また、シート側上枠７１の上面７１ｃ、下面７１ｄには、不燃シート７０の上辺部７０ａに形設される貫通穴７０ｈに対応する位置に貫通穴７１ｊ，７１ｋが設けられている。
【００３６】
シート側上枠７１の貫通穴７１ｊ，７１ｋと、不燃シート７０の貫通穴７０ｈに対し、調整固定部材８１が上方に向けて挿通される。本実施形態の調整固定部材８１はビスにて構成されており、その頭部８１ａが下面７１ｄに当接するとともに、ネジ部８１ｂの先端が上面７１ｃから突出されるようになっている。
【００３７】
シート側上枠７１は、吊り枠８に対する調整固定部材８１の締め込み量により上下方向の位置を調整可能に固定されるものである。吊り枠８は、縦面８ａ，８ｂ、上面８ｃにて下側が開放される略コ字状の断面を有しており、その断面で構成される溝空間８ｋにシート側上枠７１が収められる。なお、吊り枠８を省略し、シート側縦枠７１が上枠３に対して調整可能に固定されるものとしてもよい。
【００３８】
吊り枠８の上面８ｃには、調整固定部材８１のネジ部８１ｂを留め付けるための固定用穴８ｈが長手方向の複数箇所に形成されており、固定用穴８ｈに対するネジ部８１ｂの締め込み量によって、吊り枠８に対するシート側上枠７１の固定位置、つまりは、吊り枠８に対するシート側上枠７１の上下方向の位置を調整することができる。なお、この調整を可能とするために、上面８ｃと上面７１ｃの間には隙間が確保される。
【００３９】
吊り枠８の上面８ｃには、天井側枠３に対して吊り枠８を垂設するための垂設部８ｆが設けられている。図４は、天井側枠３に対する吊り枠８の取付手順を示すものであり、垂設部８ｆは、上面８ｃから上方に伸びる縦面部８ｍ，８ｎと、縦面部８ｍ，８ｎから互いに離れる方向に水平方向に伸びる突条部８ｖ，８ｗを有して構成される。
【００４０】
そして、この吊り枠８の突条部８ｖ，８ｗが、天井側枠３に水平方向に形設される支持突条部３ｖ，３ｗに載置される。ここで、天井側枠３は、長尺の部材であって、天井面１に当接する当接面３ａと、当接面３ａの幅方向に間隔を空けて下方に垂設される縦面３ｂ，３ｃと、縦面３ｂ，３ｃの下端部において互いに近づく方向に突設される支持突条部３ｖ，３ｗと、支持突条部３ｖ，３ｗの間に形成される隙間３ｄと、を有して構成され、当接面３ａと縦面３ｂ，３ｃで囲まれる空間にて中空部３ｅが形成されている。
【００４１】
天井側枠３への吊り枠８の取付は、嵌め込み式とすることで、容易に行えるようになっている。具体的には、まず、吊り枠８を傾けた状態で一方の突条部８ｖを天井側枠３の隙間３ｄから挿し込んで支持突条部３ｖに引っ掛け、その後、吊り枠８を水平にするように角度を変えることで、他方の突条部８ｗを隙間３ｄから挿し込んで支持突条部３ｗに引っ掛ける。次いで、吊り枠８の天井側枠３に対する見込方向Ｍの位置を適宜調整することで、天井側枠３に対して吊り枠８を吊設した状態（吊り込んだ状態）とすることができる。
【００４２】
なお、このような吊り枠８の天井側枠３に対する見込方向Ｍの調整を可能とすることで、図３に示すように、吊り枠８に取付けられるシート側縦枠７１の見込方向Ｍの調整が可能となり、左右の端部縦枠４，５と天井側枠３の取付交差（誤差、バラつき）を、この調整によって解消することが可能となる。
【００４３】
また、図５に示すごとく、シート側上枠７１の貫通穴７１ｊ，７１ｋは、見付方向Ｎに長い長孔などで形成し、吊り枠８（図３）に固定するための調整固定部材８１（ネジ部８１ｂ）との隙間７１ｓが形成されることとする。
【００４４】
これにより、地震などで変形荷重が生じた際に、吊り枠８側に固定される調整固定部材８１とシート側上枠７１の間に遊びが生じて相対移動可能となり、不燃シート７０に大きな面内変形が生じることが防止され、不燃シート７０が破れたり、折れたりするなどの損傷を防ぐことが可能となる。
【００４５】
図６に示すように、シート側縦枠７２（図２（Ｂ）に示すシート側縦枠７３も同一の構造）は、見付面７２ａ，７２ｂ、外側側面７２ｃ、内側側面７２ｄを有する中空の枠材にて構成される。シート側縦枠７２の見付面７２ａと外側側面７２ｃには、不燃シート７０の縦辺部７０ｂが被せられるとともに、両面テープ、或いは、接着剤などによって、不燃シート７０がシート側縦枠７２に貼着される。
【００４６】
また、シート側縦枠７２の外側側面７２ｃ、内側側面７２ｄには、不燃シート７０の縦辺部７０ｂに形設される貫通穴７０ｈ（図２（Ｃ））に対応する位置に貫通穴７２ｊ，７２ｋが設けられている。
【００４７】
シート側縦枠７２の貫通穴７２ｊ，７２ｋと、不燃シート７０の貫通穴７０ｈに対し、調整固定部材８２が横方向に向けて挿通される。本実施形態の調整固定部材８２はビスにて構成されており、その頭部８２ａが内側側面７２ｄに当接するとともに、ネジ部８２ｂの先端が外側側面７２ｃから突出されるようになっている。
【００４８】
シート側縦枠７２は、端部縦枠４に対する調整固定部材８２の締め込み量により左右方向の位置を調整可能に固定されるものである。端部縦枠４は、見付面４ａ，４ｂ、縦面４ｃにて内側側方（区画形成面体７側）が開放される略コ字状の断面を有しており、その断面で構成される溝空間４ｋにシート側縦枠７２が収められる。
【００４９】
端部縦枠４の縦面４ｃには、調整固定部材８２のネジ部８２ｂを留め付けるための固定用穴４ｈが長手方向の複数箇所に形成されており、固定用穴４ｈに対するネジ部８２ｂの締め込み量によって、端部縦枠４に対するシート側縦枠７２の固定位置、つまりは、端部縦枠４に対するシート側縦枠７２の左右方向（横方向）の位置を調整することができる。なお、この調整を可能とするために、縦面４ｃと外側側面７２ｃの間には隙間が確保される。
【００５０】
端部縦枠４は、室内壁面２４に当着させるための固定面部４ｓを有しており、固定面部４ｓが室内壁面２４に対してボルトなどの固定具８７によって長手方向の複数箇所において適宜固定される。
【００５１】
また、図５で説明したシート側上枠７１における構成と同様に、図６に示すシート側縦枠７２の貫通穴７２ｊ，７２ｋは、長孔などで形成し、端部縦枠４に固定するための調整固定部材８２（ネジ部８２ｂ）との隙間が形成されることとする。
【００５２】
これにより、地震などで変形荷重が生じた際に、端部縦枠４側に固定される調整固定部材８２とシート側縦枠７２の間に遊びが生じて相対移動可能となり、不燃シート７０に大きな面内変形が生じることが防止され、不燃シート７０が破れたり、折れたりするなどの損傷を防ぐことが可能となる。
【００５３】
図７に示すように、シート側下枠７４は、縦面７４ａ，７４ｂ、上面７４ｃ、下面７４ｄを有する中空の枠材にて構成される。シート側下枠７４の縦面７４ａと下面７４ｄには、不燃シート７０の下辺部７０ｄが被せられるとともに、両面テープ、或いは、接着剤などによって、不燃シート７０がシート側下枠７４に貼着される。
【００５４】
また、シート側下枠７４の上面７４ｃ、下面７４ｄには、不燃シート７０の下辺部７０ｄに形設される貫通穴７０ｈ（図２（Ｃ））に対応する位置に貫通穴７４ｊ，７４ｋが設けられている。
【００５５】
シート側下枠７４の貫通穴７４ｊ，７４ｋと、不燃シート７０の貫通穴７０ｈに対し、調整固定部材８４が横方向に向けて挿通される。本実施形態の調整固定部材８４はビスにて構成されており、その頭部８４ａが上面７４ｃに当接するとともに、ネジ部８４ｂの先端が下面７４ｄから突出されるようになっている。
【００５６】
シート側下枠７４は、下枠６に対する調整固定部材８４の締め込み量により上下方向の位置を調整可能に固定されるものである。下枠６は、縦面６ａ，６ｂ、下面６ｃにて内側側方（区画形成面体７側）が開放される略コ字状の断面を有しており、その断面で構成される溝空間６ｋにシート側下枠７４が収められる。
【００５７】
下枠６の下面６ｃには、調整固定部材８４のネジ部８４ｂを留め付けるための固定用穴６ｈが長手方向の複数箇所に形成されており、固定用穴６ｈに対するネジ部８４ｂの締め込み量によって、下枠６に対するシート側下枠７４の固定位置、つまりは、下枠６に対するシート側下枠７４の上下方向（縦方向）の位置を調整することができる。なお、この調整を可能とするために、下面６ｃと下面７４ｄの間には隙間が確保される。
【００５８】
また、図５で説明したシート側上枠７１における構成と同様に、図７に示すシート側下枠７４の貫通穴７４ｊ，７４ｋは、長孔などで形成し、下枠６に固定するための調整固定部材８４（ネジ部８４ｂ）との隙間が形成されることとする。
【００５９】
これにより、地震などで変形荷重が生じた際に、下枠６側に固定される調整固定部材８４とシート側下枠７４の間に遊びが生じて相対移動可能となり、不燃シート７０に大きな面内変形が生じることが防止され、不燃シート７０が破れたり、折れたりするなどの損傷を防ぐことが可能となる。
【００６０】
また、図２（Ｂ）に示すごとく、各シート側枠（７１，７２，７３，７４）は、不燃シート７０を取り囲むように配置されて不燃シート７０との固定がされるものの、枠同士は互いに連結されておらず、各枠同士の相対位置を変更することによって、不燃シート７０に張力（テンション）を張ることができ、これにより、不燃シート７０に生じる皺（シワ）やたわみを適宜解消することができるように構成される。
【００６１】
また、各シート側枠（７１，７２，７３，７４）の長手方向の端部は、長手方向に対して略４５度の傾斜する傾斜部を有するように構成し、各シート側枠（７１，７２，７３，７４）の長手方向の端部に構成される傾斜部同士を付け合せることで、矩形の枠体を構成できるようにしている。
【００６２】
これにより、詳しくは後述するように、区画形成面体７を上方に持ち上げるように移動させる際には、シート側縦枠７２，７３の上端にシート側上枠７１を載置するようにして、区画形成面体７を持ち上げることができ、施工性を良好なものとすることができる。また、各シート側枠（７１，７２，７３，７４）を付け合せつつ、角部Ｋを持つようにすることで、各シート側枠（７１，７２，７３，７４）が互いにずれあうことが規制され、直交方向に移動されるため、シートのしわを効果的に取り除くことができる。また、しわを取り除くことが容易なため、持ち運びを容易に行うことが可能となる。
【００６３】
次に、図８を用いて防煙たれ壁２の施工手順について説明する。
まず、図８（Ａ）に示すごとく、天井裏にあるフレームなどの固定部に対し、ボルトなどの固定具８６によって天井側枠３を固定することで、天井面１に対して天井側枠３が付設される。
【００６４】
次いで、天井側枠３に対して吊り枠８を取付けるとともに（図４参照）、室内壁面２４，２５に対し端部縦枠４，５のボルトなどの固定具８７によって固定し、下方が開放された三方の枠体が構成された状態とする。
【００６５】
次いで、図８（Ｂ）に示すごとく、不燃シート７０を各シート側枠に固定することで区画形成面体７を予め組み立てておき、シート側縦枠７２，７３を端部縦枠４，５の下端の開放部から挿入するとともに、シート側上枠７１が吊り枠８に収められるまで、区画形成面体７全体を上方に移動させる。この移動の作業は、シート側縦枠７２，７３が端部縦枠４，５によってガイドされるため、施工性が良好なものとなる。
【００６６】
次いで、図８（Ｃ）に示すごとく、調整固定部材８１を用いてシート側上枠７１を吊り枠８に仮固定して、区画形成面体７（図８（Ｂ））を吊り枠８、及び、天井側枠３を介して天井面１に対して吊り下げた状態とする。
【００６７】
なお、調整固定部材８１を用いて吊り枠８に天井側枠３を組み付けておき、図４に示す手順で、天井側枠３に対して区画形成面体７を吊り込んでもよい。これによれば、作業し易いところで吊り枠８と区画形成面体７を一体化させることができ、また、天井側枠３の吊り込みを容易に行うことができるので、作業性を良好なものとすることができる。
【００６８】
次いで、下枠６の両端部を端部縦枠４，５の下端部にボルトなどの固定具８５（図７）によって固定する。この固定により、下枠６に対してシート側下枠７４が収められた状態となる。なお、この固定具８５が下部カバー９によって覆い隠すことができる。
【００６９】
次いで、図８（Ｃ）に示すごとく、シート側縦枠７２，７３を端部縦枠４，５に対し調整固定部材８２，８３にて仮固定し、また、シート側下枠７４を下枠６に対し調整固定部材８４にて仮固定する。
【００７０】
以上のようにして、吊り枠８、端部縦枠４，５、下枠６によって囲まれた枠内に、区画形成面体７を配置した後、各シート側枠（７１，７２，７３，７４）について各枠（８，４，５，６）に対する調整部材による位置調整が実施される。
【００７１】
この位置調整によって、不燃シート７０に適度な張力（テンション）が生じさせられる。また、皺（シワ）やたわみが発生する場合には、各シート側枠（７１，７２，７３，７４）を適宜位置調整することで、この皺（シワ）やたわみを無くすことができる。
【００７２】
そして、ここでの調整作業は、例えば、六角レンチなどの工具を用いて容易に行うことができ、施工性に優れたものとすることができる。
【００７３】
また、位置調整の前、或いは、後において、下枠６に対し、下部カバー９が取付けられる。施工が完了した状態では、この下部カバー９が取付けられたものとなっている。なお、下部カバー９は省略してもよい。
【００７４】
図７に示すように、下部カバー９は、下枠６の周りを取り囲むように筒状の断面を有する長尺の部材にて構成される。下枠６の縦面６ａ，６ｂは、その上部が互いに離れる方向に上方に延設されて傾斜面を形成しており、その上端部には、下部カバー９の開口縁に形成された係止部９ｍ，９ｎが係止される溝状の係止部６ｍ，６ｎが構成されている。
【００７５】
そして、図９（Ａ）に示すように、下枠６に対し下部カバー９を上方に移動させて、下部カバー９の筒空間９ｋ内に下枠６を収めるとともに、図７に示すように、下部カバー９の係止部９ｍ，９ｎを、下枠６の係止部６ｍ，６ｎに対して嵌め込むことで、下枠６を下部カバー９に対して嵌着させる。このように嵌着による取付（嵌め込み式）は、作業が容易であり、ビスなどを使用しないため意匠性がよいものとなる。
【００７６】
なお、図９（Ａ）に示すように、下部カバー９は、円周面を構成する円筒形状とするほか、図９（Ｂ）に示す下部カバー９１のように、垂直面９１ｂ，９１ｃの下端部を円弧面９１ａで繋げた構成や、図９（Ｃ）に示す下部カバー９２のように、垂直面９２ｂ，９２ｃの下端部を水平面９２ａで繋げた構成とすることも考えられる。
【００７７】
また、本実施形態のように、下枠６の縦面６ａ，６ｂは、その上部が互いに離れる方向に上方に延設させる構成とすることで、左右対称の勾配面が形成される。これにより、下部カバーを押し上げることで下部カバーが開き、下部カバーの形状を問わず容易に嵌め込むことが可能となる。
【００７８】
以上のようにして、図１に示される防煙たれ壁２を設置することができ、可撓性を有する不燃シート７０によって、その表側となる空間と、裏側となる空間とを区画することができる。
【００７９】
なお、図１０示すごとく、複数の区画形成面体７Ａ，７Ｂ，７Ｃを用い、全体として幅の広い防煙たれ壁２Ａを構成することもできる。
【００８０】
この場合、各区画形成面体７Ａ，７Ｂ，７Ｃの間には、中間縦枠４１，４２が設置され、中間縦枠４１，４２に対する位置調整によって、見付方向Ｎにおける不燃シート７０の張力（テンション）付与や皺（シワ）やたわみの解消のための調節が行われる。
【００８１】
また、図１０のような構成とする場合の施工手順は、例えば、天井側枠３の設置、端部縦枠４、５を設置し、吊り枠８、下枠６を組み込んだ区画形成面体７Aを吊り下げ、端部縦枠４の開放部に収まるように横移動させる。
【００８２】
次いで、中間縦枠４１を設置し、下枠６を端部縦枠４及び、中間縦枠４１の下部に固定した後、順次、区画形成面体７B、中間縦枠４２、区画形成面体７Cを取付ける。
【００８３】
次いで、各シート側縦枠について各縦枠に対し調整固定部材にて固定、位置調整後下部カバー９を下枠６に対して嵌着することで、施工を完了することができる。
【００８４】
なお、図１１（Ａ）に示すごとく、中間縦枠４１は、一直線上に区画形成面体７Ａ，７Ｂを連設するために、互いに反対方向となる側に向けて開放される溝空間４１ａ，４１ｂを有して構成され、溝空間４１ａ，４１ｂに対して、区画形成面体７Ａ，７Ｂのシート側縦枠７２，７３がそれぞれ収容されることとなっている。
【００８５】
また、図１１（Ｂ）に示す中間縦枠４４のように、合計４つの溝空間４４ａを十字状（四方向）に配設する構成とすることで、四体の区画形成面体７Ｍを平面視十字状に配置する構成が実現できる。
【００８６】
また、図１１（Ｃ）に示す中間縦枠４５のように、合計３つの溝空間４５ａをＴ字状（三方向）に配設する構成とすることで、三体の区画形成面体７Ｎを平面視Ｔ字状に配置する構成が実現できる。
【００８７】
また、図１１（Ｄ）に示す中間縦枠４６のように、合計２つの溝空間４６ａをＬ字状（二方向）に配設する構成とすることで、二体の区画形成面体７Ｐを平面視Ｌ字状に配置する構成が実現できる。
【００８８】
以上のようにして、本発明を実施することができる。
即ち、図２（Ｂ）に示すごとく、
矩形状の不燃シート７０と、
前記不燃シート７０の少なくとも二辺に設けられるシート側枠（７１，７２，７３，７４）と、
を備え、
少なくとも互いに当接する前記シート側枠は、相対移動可能に構成されることを特徴とする区画形成面体７とするものである。
【００８９】
これにより、区画形成面体７を取付けた後において、各シート側枠の取付位置を変更することにより、不燃シート７０の皺（シワ）やたわみを無くした状態で区画形成面体７を設置することが可能となる。
【００９０】
なお、この区画形成面体７は、防煙たれ壁２に用いらえるだけでなく、簡易壁（パーテーション）や室内間仕切壁など、空間を区画するための用途に幅広く使用することができる。また、軽量であるため、吊設された状態での静荷重が小さく、振動を受けたとしても落下し難い構成となる。また、天井内の軽量下地などの保持力も少ないものですむ。また、落下した場合でも、破損することがないため、復旧期間が短くすむ。また、設置に際してコーキング材を用いることがなく、施工時間の短縮・劣化の回避が期待できる。
【００９１】
また、図２（Ｂ）に示すごとく、シート側枠（７１，７２，７３，７４）は、不燃シート７０の四辺に端部が突き合わせた状態で取付けられており、シート側枠（７１，７２，７３，７４）の端部が傾斜部を有し、前記シート側枠の端部の傾斜部を付き合せた構成とする。
【００９２】
これにより、区画形成面体７を上方に持ち上げるように移動させる際には、例えば、シート側縦枠７２，７３の上端にシート側上枠７１を載置するようにして、区画形成面体７を持ち上げることができ、施工性を良好なものとすることができる。また、各シート側枠を付け合せつつ、角部Ｋを持つようにすることで、各シート側枠が互いにずれあうことが規制され、区画形成面体７の持ち運びを容易に行うことが可能となる。
【００９３】
また、図２（Ａ）（Ｂ）に示すごとく、防煙たれ壁２であって、
前記シート側枠（７１，７２，７３，７４）は、
壁面（天井面１、室内壁面２４，２５に取付けられる枠（３，４，５，６）に対して固定されるものであり、
前記シート側枠の前記枠に対する固定位置が調整可能な位置調整部材を有する、こととしている。
【００９４】
これにより、区画形成面体７を枠組に取付けて防煙たれ壁２を形成した後において、各シート側枠の取付位置を変更することにより、不燃シート７０の皺（シワ）やたわみを無くした状態で区画形成面体７を設置することが可能となる。また、設置後も、季節変動、空調変動による室温、湿度の変化や経年変化によるシートの伸びなどによって、不燃シート７０の表面に皺（シワ）の発生した場合でも、各種部材を取り外すことなく、皺（シワ）を無くすための調整を容易に行うことができる。
【００９５】
なお、上記の実施形態では、シート側上枠７１は吊り枠８を介して上枠３に固定されることとしたが、吊り枠８を省略し、シート側縦枠７１が上枠３に対して調整可能に固定されるものとしてもよい。
【００９６】
さらに、上記の実施形態では、四本のシート側枠を矩形の不燃シート７０に備える構成としたが、対向する二辺についてのみシート側枠を備える構成、即ち、シート側上枠７１とシート側下枠７４のみを備え、上下方向についてのみ不燃シート７０の張力（テンション）の調整を行う構成とすることや、シート側縦枠７２，７３のみを備え、横方向についてのみ不燃シート７０の張力（テンション）の調整を行う構成とすることなども考えられる。
【００９７】
また、図６に示すごとく、縦方向のシート側枠（シート側縦枠７２）は、縦方向の枠（端部縦枠４）の見付面４ａ，４ｂの間の空間（溝空間４ｋ）内に収められる。
【００９８】
これにより、地震などで建物に揺れが生じた場合に、縦方向のシート側枠（シート側縦枠７２）の内外方向（見込方向Ｍ）の揺れを縦方向の枠（端部縦枠４）内に収めることができ、区画形成面体７が大きく揺れて脱落する恐れを防止できる。また、設置の際にシート側枠（シート側縦枠７２）は、縦方向の枠（端部縦枠４）によってガイドされるようになり、施工性が良好なものとなる。
【００９９】
また、図２（Ｃ）に示すごとく、前記各シート側枠（７１，７２，７３，７４）は、前記各枠（３，４，５，６）に対して調整固定部材（８１，８２，８３，８４）を介して固定されるものであり、
前記調整固定部材は、前記各シート側枠の貫通穴を貫通するように設けられるとともに、
図５に示すように、
前記調整固定部材８１と貫通穴７１ｊ，７１ｋの間には、隙間７１ｓが形成されることとしている。
【０１００】
これにより、図５に示すように、地震などで変形荷重が生じた際に、調整固定部材８１とシート側上枠７１の間に遊びが生じて相対移動可能となり、不燃シート７０に大きな面内変形が生じることが防止され、不燃シート７０が破れたり、折れたりするなどの損傷を防ぐことが可能となる。
【０１０１】
また、シート側上枠７１の一つは、天井面１に取付けられる天井側枠３に吊り込まれるものであり、
天井側枠３に対し、
シート側上枠７１に一体化される吊り枠８を嵌め込むことで、
天井側枠３に対し、区画形成面体７を吊り込む、構成とする。
【０１０２】
これにより、作業し易いところで吊り枠８と区画形成面体７を一体化させることができ、また、天井側枠３への吊り込みを容易に行うことができるので、作業性を良好なものとすることができる。また、シート側上枠７１を一旦吊り込んだ後は、区画形成面体７から手を離して作業をすることができ、作業性に優れた構成が実現できる。
【０１０３】
また、壁面に取付けられる枠は、
一対の縦枠（端部縦枠４，５）と、
一対の縦枠（端部縦枠４，５）の下端部に架設される下枠６と、を有し、
下枠６には、下枠６を覆うための上方が開口した筒状の下部カバー９が取付けられるものであり、
下枠６の縦面６ａ，６ｂは、その上部が互いに離れる方向に上方に延設されて左右対称の傾斜面を形成する、こととしている。
【０１０４】
これにより、下枠３４への下部カバー９の取り付けの際に、下部カバー９を押し上げることで下部カバー９が開き、下部カバー９の形状を問わず容易に嵌め込むことが可能となる。
【産業上の利用可能性】
【０１０５】
本発明は、防煙たれ壁に用いらえるだけでなく、簡易壁（パーテーション）や室内間仕切壁など、空間を区画するための用途に幅広く使用することができる。
【符号の説明】
【０１０６】
１    天井面
２    防煙たれ壁
３    天井側枠
４    端部縦枠
５    端部縦枠
６    下枠
７    区画形成面体
７０  シート
【図１】
2014104171.tif 000003
【図２】
2014104171.tif 000004
【図３】
2014104171.tif 000005
【図４】
2014104171.tif 000006
【図５】
2014104171.tif 000007
【図６】
2014104171.tif 000008
【図７】
2014104171.tif 000009
【図８】
2014104171.tif 000010
【図９】
2014104171.tif 000011
【図１０】
2014104171.tif 000012
【図１１】
2014104171.tif 000013